(57)【要約】【課題】観察者と表示装置との間に遮蔽物が存在する場合であっても、表示領域に表示される画像の全体を見ることが容易な表示装置を提供することを、目的とする。【解決手段】表示領域２６を有する表示パネル１２と、表示領域２６に画像を表示するパネル制御部２８と、表示領域２６の前方に位置する遮蔽物４０を検出する検出部１８とを備え、パネル制御部２８は、検出部１８が遮蔽物４０を検出した場合に、表示領域２６よりも小さい表示面積を有する第１表示領域２６ａを、表示領域２６を正面から見たときに表示領域２６と重なる遮蔽物４０を避ける位置に設定する第１生成部４４を備える。【選択図】図１
2014167496.tif 000002
【特許請求の範囲】
【請求項１】
表示領域を有する表示パネルと、
前記表示領域に画像を表示するパネル制御部と、
前記表示領域の前方に位置する遮蔽物を検出する検出部とを備え、
前記パネル制御部は、
前記検出部が前記遮蔽物を検出した場合に、前記表示領域よりも小さい表示面積を有する第１表示領域を、前記表示領域を正面から見たときに前記表示領域と重なる前記遮蔽物を避ける位置に生成する第１生成部を備える、表示装置。
【請求項２】
前記表示パネルの後方に配置され、前記表示パネルに光を照射するバックライトをさらに備え、
前記バックライトは、前記表示領域における前記第１表示領域を除いた領域と対応する区域が消灯可能である、請求項１に記載の表示装置。
【請求項３】
前記表示領域における前記第１表示領域を除いた領域よりも小さい表示面積を有する第２表示領域を前記表示領域における前記第１表示領域を除いた領域に生成するときに、前記表示領域における前記第１表示領域を除いた領域の前方に位置する人間が操作する入力部をさらに備え、
前記パネル制御部は、
前記入力部によって入力された内容に基づいて、前記第２表示領域を生成する第２生成部をさらに備える、請求項１又は２に記載の表示装置。
【請求項４】
前記表示領域における前記第１表示領域を除いた領域に生成可能な前記第２表示領域の種類を、前記表示領域における前記第１表示領域を除いた領域の前方に位置する人間に報知する報知部をさらに備え、
前記入力部は、前記報知部が報知する前記第２表示領域の種類から選択した種類を、前記表示領域における前記第１表示領域を除いた領域の前方に位置する人間が入力するときに用いられ、
前記第２生成部は、前記入力部から入力された前記第２表示領域の種類に基づいて、前記第２表示領域を生成する、請求項３に記載の表示装置。
【請求項５】
前記第２表示領域の位置及びサイズの少なくとも一方が変更可能である、請求項３又は４に記載の表示装置。
【請求項６】
前記入力部は、前記表示領域における前記第１表示領域を除いた領域の前方に位置する人間が前記第２表示領域に視覚情報を入力するときに用いられ、
前記入力部によって入力された視覚情報が、前記第１表示領域と前記第２表示領域とに表示される、請求項３〜５の何れか１項に記載の表示装置。
【請求項７】
前記第２生成部は、前記第２表示領域を複数生成する、請求項３〜６の何れか１項に記載の表示装置。
【請求項８】
前記検出部が複数設けられている、請求項１〜７の何れか１項に記載の表示装置。
【請求項９】
前記表示領域と、前記第１表示領域とが、相似形である、請求項１〜８の何れか１項に記載の表示装置。
【請求項１０】
前記表示領域と、前記第２表示領域とが、相似形である、請求項３〜９の何れか１項に記載の表示装置。
【請求項１１】
前記検出部が前記遮蔽物を検出している時間を計測する第１計測部をさらに備え、
前記第１生成部は、前記第１計測部が計測した時間が所定時間を経過した場合に、前記第１表示領域を、前記表示領域を正面から見たときに前記表示領域と重なる前記遮蔽物を避ける位置に生成する、請求項１〜１０の何れか１項に記載の表示装置。
【請求項１２】
前記第１生成部が前記第１表示領域を生成しているときに、前記検出部が前記遮蔽物を検出している時間を計測する第２計測部をさらに備え、
前記第１生成部は、前記第２計測部が計測した時間が所定時間を経過した場合に、現在生成している前記第１表示領域を維持する、請求項１〜１１の何れか１項に記載の表示装置。
【請求項１３】
前記パネル制御部は、前記表示領域において前記第１表示領域が生成され得る領域を変更する変更部をさらに備える、請求項１〜１２の何れか１項に記載の表示装置。
【発明の詳細な説明】
【技術分野】
【０００１】
本発明は、画像が表示される領域を変更可能な表示装置に関する。
【背景技術】
【０００２】
近年、表示装置の表示領域が大型化している。表示領域が大きい場合、観察者は、表示装置からある程度離れた位置で、表示領域に表示される画像を見る。
【先行技術文献】
【特許文献】
【０００３】
【特許文献１】特開２００８−１９７４４７号公報
【発明の概要】
【発明が解決しようとする課題】
【０００４】
観察者が表示装置から離れると、観察者と表示装置との間に、例えば人間等の遮蔽物が存在する場合がある。この場合、観察者は表示領域の全体を見ることができない。そのため、観察者は、例えば場所を移動する等して、表示領域に表示される画像を見ることになる。
【０００５】
なお、特開２００８−１９７４４７号公報（特許文献１）には、大画面表示装置が開示されている。この大画面表示装置は、不特定視聴者向けの情報を表示するパブリック表示エリアを有する。パブリック表示エリアの前に特定視聴者が立つと、特定視聴者向けの情報を表示するプライベート表示エリアが生成される。プライベート表示エリアは、特定視聴者の体形に合わせて生成される。プライベート表示エリアが生成されると、大画面表示装置の表示画面においてプライベート表示エリアを除いた領域がパブリック表示エリアになる。そのため、パブリック表示エリアが歪な形になる。その結果、パブリック表示エリアに表示される情報が見難くなる。
【０００６】
本発明の目的は、観察者と表示装置との間に遮蔽物が存在する場合であっても、表示領域に表示される画像の全体を見ることが容易な表示装置を提供することである。
【課題を解決するための手段】
【０００７】
本発明の表示装置は、表示領域を有する表示パネルと、前記表示領域に画像を表示するパネル制御部と、前記表示領域の前方に位置する遮蔽物を検出する検出部とを備え、前記パネル制御部は、前記検出部が前記遮蔽物を検出した場合に、前記表示領域よりも小さい表示面積を有する第１表示領域を、前記表示領域を正面から見たときに前記表示領域と重なる前記遮蔽物を避ける位置に生成する第１生成部を備える。
【発明の効果】
【０００８】
本発明の表示装置は、観察者と表示装置との間に遮蔽物が存在する場合であっても、表示領域に表示される画像の全体を見ることが容易になる。
【図面の簡単な説明】
【０００９】
【図１】図１は、本発明の第１の実施形態としての表示装置の概略構成の一例を示す機能ブロック図である。
【図２】図２は、表示パネルの概略構成を示す模式図である。
【図３】図３は、表示装置の一例を示す正面図である。
【図４】図４は、パネル制御部の概略構成の一例を示す機能ブロック図である。
【図５】図５は、表示装置と観察者との間に遮蔽物が存在しない場合の表示領域の一例を示す説明図である。
【図６】図６は、表示装置と観察者との間に遮蔽物が存在する場合の表示領域の一例を示す説明図である。
【図７】図７は、表示装置と観察者との間に遮蔽物が存在する場合の表示領域の他の一例を示す説明図である。
【図８】図８は、表示装置と観察者との間に遮蔽物が存在する場合の表示領域の他の一例を示す説明図である。
【図９】図９は、表示装置と観察者との間に遮蔽物が存在する場合の表示領域の他の一例を示す説明図である。
【図１０】図１０は、表示装置と観察者との間に遮蔽物が存在する場合の表示領域の他の一例を示す説明図である。
【図１１】図１１は、各検出部に設定された検出領域を示す説明図である。
【図１２】図１２は、本発明の第１の実施形態の応用例１としての表示装置の一例を示す正面図である。
【図１３】図１３は、本発明の第１の実施形態の応用例２としての表示装置の概略構成の一例を示す機能ブロック図である。
【図１４】図１４は、図１３に示す表示装置の一例を示す正面図である。
【図１５】図１５は、本発明の第１の実施形態の応用例３としての表示装置の概略構成の一例を示す機能ブロック図である。
【図１６】図１６は、応用例３のパネル制御部の概略構成の一例を示す機能ブロック図である。
【図１７】図１７は、本発明の第１の実施形態の応用例４としての表示装置の概略構成の一例を示す機能ブロック図である。
【図１８】図１８は、応用例４のパネル制御部の概略構成の一例を示す機能ブロック図である。
【図１９】図１９は、表示装置と観察者との間に遮蔽物が存在する場合の表示領域の一例を示す説明図である。
【図２０】図２０は、表示装置と観察者との間に遮蔽物が存在する場合の表示領域の他の一例を示す説明図である。
【図２１】図２１は、本発明の第２の実施形態としての表示装置の概略構成の一例を示す機能ブロック図である。
【図２２】図２２は、第２の実施形態で採用されるパネル制御部の概略構成の一例を示す機能ブロック図である。
【図２３】図２３は、表示装置の前方に遮蔽物が存在する場合の表示領域の一例を示す説明図である。
【図２４】図２４は、本発明の第２の実施形態の応用例１としての表示装置が備えるパネル制御部の一例を示す機能ブロック図である。
【図２５】図２５は、残りの領域に表示される選択肢の一例を示す図である。
【図２６】図２６は、本発明の第２の実施形態の応用例２で採用されるパネル制御部の概略構成の一例を示す機能ブロック図である。
【図２７】図２７は、表示領域の前方に遮蔽物が存在する場合の表示領域の一例を示す説明図である。
【図２８】図２８は、表示領域の前方に遮蔽物が存在する場合の表示領域の一例を示す説明図である。
【図２９】図２９は、本発明の第３の実施形態としての表示装置の概略構成の一例を示す機能ブロック図である。
【図３０】図３０は、第３の実施形態で採用されるパネル制御部の概略構成の一例を示す機能ブロック図である。
【図３１】図３１は、残りの領域に表示される表示の一例を示す図である。
【図３２】図３２は、表示領域に設定された２つの領域の一例を示す図である。
【図３３】図３３は、表示装置と観察者との間に遮蔽物が存在する場合の表示領域の一例を示す説明図である。
【発明を実施するための形態】
【００１０】
本発明の一実施形態に係る表示装置は、表示領域を有する表示パネルと、前記表示領域に画像を表示するパネル制御部と、前記表示領域の前方に位置する遮蔽物を検出する検出部とを備え、前記パネル制御部は、前記検出部が前記遮蔽物を検出した場合に、前記表示領域よりも小さい表示面積を有する第１表示領域を、前記表示領域を正面から見たときに前記表示領域と重なる前記遮蔽物を避ける位置に生成する第１生成部を備える（第１の構成）。
【００１１】
第１の構成においては、検出部が遮蔽物を検出した場合に、表示領域よりも小さい表示面積を有する第１表示領域が表示領域に生成される。第１表示領域は、正面から見た表示領域と重なる遮蔽物を避ける位置に生成される。そのため、観察者と表示装置との間に遮蔽物が存在する場合であっても、表示領域に表示される画像の全体を、観察者は見ることができる。
【００１２】
第２の構成は、前記第１の構成において、前記表示パネルの後方に配置され、前記表示パネルに光を照射するバックライトをさらに備え、前記バックライトは、前記表示領域における前記第１表示領域を除いた領域と対応する区域が消灯可能になっている構成である。このような構成においては、第１表示領域に画像が表示されているときに、バックライトにおいて表示領域における第１表示領域を除いた領域と対応する区域が消灯されるようにすれば、表示装置の消費電力が抑えられる。
【００１３】
第３の構成は、前記第１又は第２の構成において、前記表示領域における前記第１表示領域を除いた領域よりも小さい表示面積を有する第２表示領域を前記表示領域における前記第１表示領域を除いた領域に生成するときに、前記表示領域における前記第１表示領域を除いた領域の前方に位置する人間が操作する入力部をさらに備え、前記パネル制御部は、前記入力部によって入力された内容に基づいて、前記第２表示領域を生成する第２生成部をさらに備える構成である。このような構成においては、表示領域における第１表示領域を除いた領域に生成される第２表示領域が、第１表示領域の観察者にとって遮蔽物となる人間の表示領域として、利用できる。
【００１４】
第４の構成は、前記第３の構成において、前記表示領域における前記第１表示領域を除いた領域に生成可能な前記第２表示領域の種類を、前記表示領域における前記第１表示領域を除いた領域の前方に位置する人間に報知する報知部をさらに備え、前記入力部は、前記報知部が報知する前記第２表示領域の種類から選択した種類を、前記表示領域における前記第１表示領域を除いた領域の前方に位置する人間が入力するときに用いられ、前記第２生成部は、前記入力部から入力された前記第２表示領域の種類に基づいて、前記第２表示領域を生成する構成である。このような構成においては、表示領域における第１表示領域を除いた領域の前方に位置する人間が、第２表示領域の種類を選択できる。
【００１５】
第５の構成は、前記第３又は第４の構成において、前記第２表示領域の位置及びサイズの少なくとも一方が変更可能になっている構成である。このような構成においては、第２表示領域に表示される画像が見易くなる。
【００１６】
第６の構成は、前記第３〜第５の構成の何れか１つにおいて、前記入力部は、前記表示領域における前記第１表示領域を除いた領域の前方に位置する人間が前記第２表示領域に視覚情報を入力するときに用いられ、前記入力部によって入力された視覚情報が、前記第１表示領域と前記第２表示領域とに表示される構成である。このような構成においては、第２表示領域に入力された視覚情報が、第１表示領域の観察者に見える。ここで、視覚情報とは、例えば、視覚を通じて人間が認識できる文字、絵等の情報をいう。
【００１７】
第７の構成は、前記第３〜第６の構成の何れか１つにおいて、前記第２生成部は、前記第２表示領域を複数生成する構成である。
【００１８】
第８の構成は、前記第１〜第７の構成の何れか１つにおいて、前記検出部が複数設けられている構成である。このような構成においては、遮蔽物が検出し易い。
【００１９】
第９の構成は、前記第１〜第８の構成の何れか１つにおいて、前記表示領域と、前記第１表示領域とが、相似形である構成である。このような構成においては、観察者が、第１表示領域に表示される画像を見たときに、違和感を感じ難くなる。
【００２０】
第１０の構成は、前記第３〜第９の構成の何れか１つにおいて、前記表示領域と、前記第２表示領域とが、相似形である構成である。このような構成においては、第１表示領域の観察者にとって遮蔽物となる人間が、第２表示領域に表示される画像を見たときに、違和感を感じ難くなる。
【００２１】
第１１の構成は、前記第１〜第１０の構成の何れか１つにおいて、前記検出部が前記遮蔽物を検出している時間を計測する第１計測部をさらに備え、前記第１生成部は、前記第１計測部が計測した時間が所定時間を経過した場合に、前記第１表示領域を、前記表示領域を正面から見たときに前記表示領域と重なる前記遮蔽物を避ける位置に生成する構成である。このような構成においては、例えば、表示領域の前方を通過する人間が遮蔽物と判断されるのを防ぐことができる。そのため、適正なタイミングで第１表示領域を生成することができる。
【００２２】
第１２の構成は、前記第１〜第１１の構成の何れか１つにおいて、前記第１生成部が前記第１表示領域を生成しているときに、前記検出部が前記遮蔽物を検出している時間を計測する第２計測部をさらに備え、前記第１生成部は、前記第２計測部が計測した時間が所定時間を経過した場合に、現在生成している前記第１表示領域を維持する構成である。このような構成においては、現在生成している第１表示領域が変更されない。そのため、第１表示領域が利用し易くなる。
【００２３】
第１３の構成は、前記第１〜第１２の構成の何れか１つにおいて、前記パネル制御部は、前記表示領域において前記第１表示領域が生成され得る領域を変更する変更部をさらに備える構成である。このような構成においては、例えば、第１表示領域を生成可能な領域が表示領域よりも狭くなると、表示領域において第１表示領域が形成されない領域が生成される。この領域の前方は、例えば、第１表示領域に表示される画像を説明するための人が立つスペースとして利用できる。また、例えば、この領域に紙等を貼り付けることもできる。そのため、表示装置の利便性が高まる。
【００２４】
以下、本発明のより具体的な実施形態について、図面を参照しながら説明する。なお、以下で参照する各図は、説明の便宜上、本発明の実施形態の構成部材のうち、本発明を説明するために必要な主要部材のみを簡略化して示したものである。従って、本発明に係る表示装置は、本明細書が参照する各図に示されていない任意の構成部材を備え得る。また、図中同一又は相当部分には、同一符号を付して、その説明は繰り返さない。
【００２５】
［第１の実施形態］
図１，図２を参照して、本発明の第１の実施形態としての表示装置１０について説明する。図１は、表示装置１０の概略構成の一例を示す機能ブロック図である。図２は、表示パネルの概略構成を示す模式図である。
【００２６】
［全体構成］
表示装置１０は、画像を表示する。表示装置１０の具体例としては、例えば、家庭用テレビ等がある。表示装置１０は、表示パネル１２と、バックライト１４と、制御部１６と、検出部１８とを備える。
【００２７】
表示パネル１２は、例えば、液晶パネル、プラズマディスプレイパネル（ＰＤＰ）、有機ＥＬ(electroluminescence)等である。本実施形態では、表示パネル１２として、透過型の液晶パネルが採用されている。
【００２８】
図２に示すように、表示パネル１２は、アクティブマトリクス基板２０と、対向基板２２と、これらアクティブマトリクス基板２０と対向基板２２との間に封入された液晶層２４とを備える。
【００２９】
表示パネル１２は、複数の画素（図示せず）を有する。複数の画素は、マトリクス状に形成されている。複数の画素が形成された領域は、表示パネル１２の表示領域２６（図１参照）になる。
【００３０】
各画素は、複数のサブ画素を有してもよい。複数のサブ画素は、例えば、赤色画素、緑色画素及び青色画素である。複数のサブ画素は、黄色画素を含んでもよい。
【００３１】
バックライト１４（図１参照）は、表示パネル１２の後方（観察者とは反対側）に配置される。バックライト１４は、表示領域２６に光を照射する。バックライト１４は、例えば、直下型である。バックライト１４の光源は、例えば、発光ダイオードである。
【００３２】
制御部１６（図１参照）は、表示装置１０を制御する。制御部１６は、図１に示すように、パネル制御部２８と、バックライト制御部３０とを備える。
【００３３】
パネル制御部２８は、画像表示に必要な各種信号を生成する。図１に示すように、パネル制御部２８は、ゲートドライバ３２とソースドライバ３４に対して、生成した信号を出力する。
【００３４】
ゲートドライバ３２には、複数のゲート線３６が接続されている。各ゲート線３６は、薄膜トランジスタ（図示せず）のゲート電極に接続されている。薄膜トランジスタは、アクティブマトリクス基板２０上に形成されている。薄膜トランジスタは、スイッチング素子として機能する。各ゲート線３６は、ゲートドライバ３２から出力される走査信号を伝送する。ゲート電極に入力される走査信号によって、薄膜トランジスタが駆動される。
【００３５】
ソースドライバ３４には、複数のソース線３８が接続されている。各ソース線３８は、薄膜トランジスタのソース電極に接続されている。各ソース線３８は、ソースドライバ３４から出力される表示信号を伝送する。薄膜トランジスタが駆動されているときに、薄膜トランジスタに表示信号が入力される。これにより、表示信号に応じた電荷が、薄膜トランジスタに接続された容量に蓄積される。容量は、画素電極と、画素電極に対向して配置された共通電極と、これら画素電極と共通電極との間に位置する液晶層２４とによって構成される。画素電極は、アクティブマトリクス基板２０に形成されている。画素電極は、薄膜トランジスタのドレイン電極に接続されている。共通電極は、対向基板２２に形成されている。表示信号に応じた電荷が容量に蓄積されることにより、各画素の階調が制御される。その結果、表示パネル１２は、画像を表示することができる。
【００３６】
バックライト制御部３０は、パネル制御部２８からの信号に基づいて、バックライト１４を制御する。
【００３７】
検出部１８は、表示領域２６の前方に位置する遮蔽物４０（図６〜図１０参照）を検出する。遮蔽物４０は、例えば、観察者が表示領域２６を正面から見たときに、表示領域２６と重なるものである。遮蔽物４０は、表示領域２６の前方に位置し、表示領域２６の観察者５０（図５〜図１０参照）の視界を遮るものであれば、特に限定されない。例えば、人や動物のように動くものであっても良い。
【００３８】
検出部１８は、例えば、照度センサ、距離センサ等である。照度センサは、表示装置１０の前方の照度を検出する。照度センサは、例えば、フォトダイオード、フォトトランジスタ等である。遮蔽物４０が照度センサの前方に位置すると、照度センサは遮蔽物４０の影になる。そのため、照度センサが検出する照度は低下する。照度が予め定められた基準値以下になると、表示装置１０の前方に遮蔽物４０が存在することになる。
【００３９】
距離センサは、遮蔽物４０と表示装置１０との距離を測定する。距離センサが距離を測定する方式は、例えば、ＴＯＦ（Time of Flight）方式である。具体的には、例えば、距離センサは発光ダイオードを備える。発光ダイオードは近赤外光を発する。距離センサは、発光ダイオードが発した近赤外光の反射光を受光する。距離センサは、発光ダイオードが近赤外光を発してからその反射光を受光するまでの時間を計測する。距離センサは、計測された時間から遮蔽物４０との距離を求める。測定距離が予め定められた基準値以下になると、表示装置１０の前方に遮蔽物４０が存在することになる。
【００４０】
図１では、図面を判り易くするために、１つの検出部１８だけを示しているが、複数の検出部１８を設けることが好ましい。例えば、図３の例では、４つの検出部１８ａ〜１８ｄが設けられている。図３は、表示装置１０の正面図である。図３の例では、表示装置１０の一端（右端）側から検出部１８ａ、検出部１８ｂ、検出部１８ｃ、検出部１８ｄの順に、４つの検出部１８ａ〜１８ｄが並んでいる。
【００４１】
図３に示すように、表示装置１０は、筺体４２を備える。筺体４２は、表示領域２６を全周に亘って囲む。検出部１８ａ〜１８ｄは、例えば、筺体４２に形成された開口を通じて、外部に露出されている。
【００４２】
検出部１８ａ〜１８ｄは、図３の例では、表示領域２６よりも上側に設けられている。検出部１８ａ〜１８ｄは、表示領域２６の水平方向（図３の左右方向）に等間隔に設けられている。検出部１８ａは、表示領域２６の水平方向の一端に位置する。検出部１８ｄは、表示領域２６の水平方向の他端に位置する。残りの２つの検出部１８ｂ，１８ｃは、表示領域２６を水平方向に３等分する位置にある。
【００４３】
検出部１８ａ〜１８ｄは信号を出力する。検出部１８ａ〜１８ｄが出力する信号は、パネル制御部２８に入力される。パネル制御部２８は、検出部１８ａ〜１８ｄからの信号に基づいて、画像が表示される領域の位置及びサイズを変更する。パネル制御部２８は、図４に示すように、第１生成部４４と、表示制御部４８とを備える。図４は、パネル制御部２８の概略構成の一例を示す機能ブロック図である。
【００４４】
第１生成部４４は、検出部１８ａ〜１８ｄからの信号を受信する。第１生成部４４は、検出部１８ａ〜１８ｄからの信号が予め定められた基準値以下であるか否かを判定する。この基準値は、表示装置１０の前方に遮蔽物４０が位置するか否かの判断基準となる。
【００４５】
検出部１８ａ〜１８ｄが照度センサである場合、照度が基準値以下であれば、表示装置１０の前方に遮蔽物４０が位置すると、第１生成部４４が判断する。検出部１８ａ〜１８ｄが距離センサである場合、遮蔽物４０と表示装置１０との距離が基準値以下であれば、表示装置１０の前方に遮蔽物４０が位置すると、第１生成部４４が判断する。
【００４６】
複数の検出部１８ａ〜１８ｄが互いに異なる遮蔽物４０を検出する場合がある。この場合、第１生成部４４は、検出部１８ａ〜１８ｄが検出した遮蔽物の全てを、遮蔽物４０と認識してもよいし、検出部１８ａ〜１８ｄが検出した遮蔽物のうち、表示装置１０との距離が最も短い遮蔽物を、遮蔽物４０と認識してもよい。
【００４７】
第１生成部４４は、基準値以下の信号を受信した場合、検出部１８ａ〜１８ｄのうち、基準値以下の信号を送ってきた検出部を特定する。第１生成部４４は、特定した検出部の位置を参照して、第１表示領域２６ａ（図６〜図１０参照）の位置及びサイズを設定する。
【００４８】
図５〜図１０を参照しながら、第１生成部４４が第１表示領域２６ａの位置及びサイズを設定する方法について説明する。図５は、表示装置１０と観察者５０との間に遮蔽物４０が存在しない場合の表示領域２６の一例を示す説明図である。図６〜図１０は、それぞれ、表示装置１０と観察者５０との間に遮蔽物４０が存在する場合の表示領域２６の一例を示す説明図である。図５〜図１０では、画像が表示される領域にハッチングを付している。図６〜図１０では、観察者５０と表示装置１０との間に位置する人間が、遮蔽物４０になっている。
【００４９】
図５に示すように、観察者５０と表示装置１０との間に遮蔽物４０が存在しない場合、表示領域２６の全体に画像が表示される。そのため、観察者５０は、表示領域２６の全体に表示される画像を見ることができる。
【００５０】
図６〜図１０に示すように、観察者５０と表示装置１０との間に遮蔽物４０が存在する場合、第１表示領域２６ａが表示領域２６に生成される。第１表示領域２６ａは、表示領域２６よりも小さい表示面積を有する。第１表示領域２６ａと、表示領域２６とは、相似形であることが好ましい。換言すれば、第１表示領域２６ａの縦横比は、表示領域２６の縦横比と同じであることが好ましい。これにより、第１表示領域２６ａに画像が表示されるようになっても、観察者５０は違和感を感じ難い。
【００５１】
本実施形態では、第１表示領域２６ａのサイズは２種類ある。１つは、図６及び図９に示すように、水平方向（図６〜図１０の左右方向）及び垂直方向（図６〜図１０の上下方向）の寸法が、表示領域２６の水平方向及び垂直方向の寸法の３／４になっている。この場合、第１表示領域２６ａの表示面積は、表示領域２６の９／１６倍の大きさになる。もう１つは、図７，図８及び図１０に示すように、水平方向及び垂直方向の寸法が、表示領域２６の水平方向及び垂直方向の寸法の１／２になっている。この場合、第１表示領域２６ａの表示面積は、表示領域２６の１／４倍の大きさになる。
【００５２】
第１表示領域２６ａのサイズは、第１生成部４４が特定した検出部の位置に基づいて設定される。具体的には、先ず、第１生成部４４は、特定した検出部の位置に基づいて、第１表示領域２６ａが生成可能な領域（以下、生成可能領域）を設定する。
【００５３】
図１１を参照しながら、第１生成部４４が生成可能領域を設定する方法について説明する。図１１の例では、４つの検出領域５２ａ〜５２ｄが表示領域２６の水平方向（図１１の左右方向）に並んでいる。検出領域５２ａは、検出部１８ａが遮蔽物４０を検出したときに、表示領域２６を正面から見ると、遮蔽物４０が重なる領域である。検出領域５２ｂは、検出部１８ｂが遮蔽物４０を検出したときに、表示領域２６を正面から見ると、遮蔽物４０が重なる領域である。検出領域５２ｃは、検出部１８ｃが遮蔽物４０を検出したときに、表示領域２６を正面から見ると、遮蔽物４０が重なる領域である。検出領域５２ｄは、検出部１８ｄが遮蔽物４０を検出したときに、表示領域２６を正面から見ると、遮蔽物４０が重なる領域である。
【００５４】
第１生成部４４は、４つの検出部１８ａ〜１８ｄから順次信号を受信する。第１生成部４４は、受信した信号が基準値以下であるか否かを判断する。第１生成部４４は、受信した信号が基準値以下であると判断した場合、当該基準値以下の信号を送ってきた検出部を特定する。第１生成部４４は、特定した検出部と対応する検出領域の前方に、遮蔽物４０が位置すると判断する。第１生成部４４は、表示領域２６を正面から見たときに遮蔽物４０が重なる検出領域を特定する。第１生成部４４は、特定した検出領域５２を表示領域２６から除いた領域を、生成可能領域に設定する。第１生成部４４は、生成可能領域に表示可能な第１表示領域２６ａの表示面積を、第１表示領域２６ａの表示面積に設定する。このようにして、第１表示領域２６ａのサイズが設定される。
【００５５】
本実施形態では、第１生成部４４は、生成可能領域に表示可能な第１表示領域２６ａの表示面積のうち、最大の表示面積を、第１表示領域２６ａの表示面積に設定する。
【００５６】
図６に示すように、遮蔽物４０が表示領域２６の一端（図６の右端）の前方に位置する場合を考える。この場合、検出部１８ａが遮蔽物４０を検出し、他の検出部１８ｂ〜１８ｄは遮蔽物４０を検出しない。そのため、検出部１８ａは基準値以下の信号を出力し、他の検出部１８ｂ〜１８ｄは基準値より大きい信号を出力する。第１生成部４４は、基準値以下の信号を送信してきた検出部が検出部１８ａであると特定する。第１生成部４４は、検出部１８ａに対応する検出領域５２ａを表示領域２６から除いた領域を、生成可能領域に設定する。この場合、第１生成部４４が選択可能な表示面積には、表示領域２６の９／１６倍の大きさと、表示領域２６の１／４の大きさとがある。第１生成部４４は、第１表示領域２６ａのサイズとして、表示領域２６の９／１６倍の大きさを設定する。
【００５７】
図７に示すように、遮蔽物４０が図６よりも表示領域２６の中央寄りに位置する場合を考える。この場合、検出部１８ａ，１８ｂが遮蔽物４０を検出し、他の検出部１８ｃ，１８ｄは遮蔽物４０を検出しない。そのため、検出部１８ａ，１８ｂは基準値以下の信号を出力し、他の検出部１８ｃ，１８ｄは基準値より大きい信号を出力する。第１生成部４４は、基準値以下の信号を送信してきた検出部が検出部１８ａ，１８ｂであると特定する。第１生成部４４は、検出部１８ａ，１８ｂに対応する検出領域５２ａ，５２ｂを表示領域２６から除いた領域を、生成可能領域に設定する。この場合、第１生成部４４が選択可能な表示面積は、表示領域２６の１／４倍の大きさだけである。第１生成部４４は、第１表示領域２６ａのサイズとして、表示領域２６の１／４倍の大きさを設定する。
【００５８】
図８に示すように、遮蔽物４０が表示領域２６の水平方向両端（図８の左右端）の前方に位置する場合を考える。この場合、検出部１８ａ，１８ｄが遮蔽物４０を検出し、他の検出部１８ｂ，１８ｃは遮蔽物４０を検出しない。そのため、検出部１８ａ，１８ｄが基準値以下の信号を出力し、他の検出部１８ｂ，１８ｃは基準値より大きい信号を出力する。第１生成部４４は、基準値以下の信号を送信してきた検出部が検出部１８ａ，１８ｄであると特定する。第１生成部４４は、検出部１８ａ，１８ｄに対応する検出領域５２ａ，５２ｄを表示領域２６から除いた領域を、生成可能領域に設定する。この場合、第１生成部４４が選択可能な表示面積は、表示領域２６の１／４倍の大きさだけである。第１生成部４４は、第１表示領域２６ａのサイズとして、表示領域２６の１／４倍の大きさを設定する。
【００５９】
図９に示すように、遮蔽物４０が表示領域２６の他端（図９の左端）の前方に位置する場合を考える。この場合、検出部１８ｄが遮蔽物４０を検出し、他の検出部１８ａ〜１８ｃは遮蔽物４０を検出しない。そのため、検出部１８ｄは基準値以下の信号を出力し、他の検出部１８ａ〜１８ｃは基準値より大きい信号を出力する。第１生成部４４は、基準値以下の信号を送信してきた検出部が検出部１８ｄであると特定する。第１生成部４４は、検出部１８ｄに対応する検出領域５２ｄを表示領域２６から除いた領域を、生成可能領域に設定する。この場合、第１生成部４４が選択可能な表示面積には、表示領域２６の９／１６倍の大きさと、表示領域２６の１／４の大きさとがある。第１生成部４４は、第１表示領域２６ａのサイズとして、表示領域２６の９／１６倍の大きさを設定する。
【００６０】
図１０に示すように、遮蔽物４０が図９よりも表示装置１０の中央寄りに位置する場合を考える。この場合、検出部１８ｃ，１８ｄが遮蔽物４０を検出し、他の検出部１８ａ，１８ｂは遮蔽物４０を検出しない。そのため、検出部１８ｃ，１８ｄは基準値以下の信号を出力し、他の検出部１８ａ，１８ｂは基準値より大きい信号を出力する。第１生成部４４は、基準値以下の信号を送信してきた検出部が検出部１８ｃ，１８ｄであると特定する。第１生成部４４は、検出部１８ｃ，１８ｄに対応する検出領域５２ｃ，５２ｄを表示領域２６から除いた領域を、生成可能領域に設定する。この場合、第１生成部４４が選択可能な表示面積は、表示領域２６の１／４倍の大きさだけである。第１生成部４４は、第１表示領域２６ａのサイズとして、表示領域２６の１／４倍の大きさを設定する。
【００６１】
本実施形態では、例えば３つ以上の検出部が遮蔽物を検出し、且つ、各検出部が検出した遮蔽物と表示領域２６との距離が同じである場合等、検出部の検出状況によっては、第１生成部４４が生成可能領域を確保できない場合がある。この場合、第１生成部４４は、第１表示領域２６ａの位置及びサイズを設定しない。換言すれば、表示領域２６に第１表示領域２６ａが生成されない。そのため、観察者５０と表示装置１０との間に遮蔽物４０が存在しても、表示領域２６の全体に画像が表示される。
【００６２】
本実施形態では、生成可能領域に表示可能な第１表示領域２６ａの表示面積のうち、最大の表示面積が、第１表示領域２６ａの表示面積に設定されるようになっている。しかしながら、第１表示領域２６ａの表示面積は、生成可能領域に表示可能な第１表示領域２６ａの表示面積のうち、最大の表示面積である必要はない。例えば、図６又は図１０の例において、第１表示領域２６ａの表示面積を表示領域２６の１／４倍の大きさに設定してもよい。
【００６３】
第１生成部４４は、表示領域２６において第１表示領域２６ａが生成される位置を設定する。本実施形態では、第１表示領域２６ａの生成位置は、予め定められている。図６及び図７に示すように、表示領域２６の中央よりも一端側に位置する検出部１８ａ，１８ｂの少なくとも一方が遮蔽物４０を検出する場合、第１生成部４４は、表示領域２６の他端側の上隅に、第１表示領域２６ａの生成位置を設定する。図８に示すように、表示領域２６の両端に位置する検出部１８ａ，１８ｄのそれぞれが遮蔽物４０を検出する場合、第１生成部４４は、表示領域２６の水平方向の中央であって、且つ、表示領域２６の上端縁に沿った位置に、第１表示領域２６ａの生成位置を設定する。図９及び図１０に示すように、表示領域２６の中央よりも他端側に位置する検出部１８ｃ，１８ｄが遮蔽物４０を検出する場合、第１生成部４４は、表示領域２６の一端側の上隅に、第１表示領域２６ａの生成位置を設定する。
【００６４】
本実施形態では、表示領域２６の上縁に沿った位置に、第１表示領域２６ａが生成されるようになっている。しかしながら、第１表示領域２６ａが生成される位置は、表示領域２６の上縁に沿った位置に限定されない。例えば、表示領域２６の下縁に沿った位置に、第１表示領域２６ａが生成されてもよい。或いは、表示領域２６の縦方向（図５〜図１０の上下方向）の中央に、第１表示領域２６ａが生成されてもよい。
【００６５】
第１生成部４４は、設定した第１表示領域２６ａの位置及びサイズに基づいて、第１表示領域２６ａを表示領域２６に生成する。表示制御部４８（図４参照）は、第１生成部４６が生成した第１表示領域２６ａに画像を表示する。
【００６６】
第１表示領域２６ａに画像が表示されているとき、表示領域２６において第１表示領域２６ａを除いた残りの領域２６ｂは、黒表示される。換言すれば、残りの領域２６ｂには、観察者５０の観賞対象となる画像は表示されない。
【００６７】
そこで、本実施形態では、バックライト制御部３０は、第１表示領域２６ａに画像が表示されているときに、バックライト１４において残りの領域２６ｂと対応する区域を消灯する。この場合、バックライト１４は、個別に点灯可能な複数の区域を有する。バックライト制御部３０は、第１生成部４４が設定した第１表示領域２６ａの位置及びサイズに基づいて、バックライト１４を区域毎に点灯する。具体的には、バックライト制御部３０は、バックライト１４において第１表示領域２６ａと対応する区域を点灯し、バックライト１４において残りの領域２６ｂと対応する区域を消灯する。このようなバックライト１４は、例えば、予め定められた区域に配置されている光源毎に点灯可能な直下型バックライト１４によって実現できる。
【００６８】
このように、バックライト１４において残りの区域と対応する区域を消灯すれば、バックライト１４の消費電力が抑えられる。その結果、表示装置１０の表示電力が抑えられる。
【００６９】
また、表示パネル１２として、ノーマリーブラックモードの液晶パネルを採用すれば、残りの領域２６ｂを黒表示とするときに、電圧を印加する必要がなくなる。そのため、表示装置１０の消費電力がさらに抑えられる。
【００７０】
このような表示装置１０は、検出部１８が遮蔽物４０を検出した場合、第１表示領域２６ａに画像が表示される。第１表示領域２６ａは、表示領域２６を正面から見た場合、遮蔽物４０を避けた位置に生成される。そのため、観察者５０は、表示装置１０と観察者５０との間に遮蔽物４０が位置しても、遮蔽物４０に邪魔されずに、表示領域２６に表示される画像の全体を見ることができる。
【００７１】
表示装置１０は、４つの検出部１８ａ〜１８ｄを有する。そのため、表示領域２６を正面から見た場合に、遮蔽物４０が表示領域２６にどれくらい重なるかを精度よく検出することができる。
【００７２】
［第１の実施形態の応用例１］
図１２を参照しながら、第１の実施形態の応用例１について説明する。図１２は、本応用例の表示装置５４の一例を示す正面図である。図１２に示すように、複数の検出部１８は、表示領域２６の上側だけでなく、表示領域２６の下側に設けてもよい。これにより、検出部１８が遮蔽物４０を検出する精度を向上させることができる。
【００７３】
複数の検出部１８は、表示領域２６よりも下側だけに設けてもよい。表示領域２６の水平方向に複数の検出部１８を並べる場合、検出部１８の数は、４つより少なくてもよいし、４つより多くてもよい。表示領域２６よりも上側の領域と、表示領域２６よりも下側の領域とに、それぞれ、複数の検出部１８を設ける場合、表示領域２６の上側に位置する複数の検出部１８の間隔と、表示領域２６の下側に位置する複数の検出部１８の間隔とは、同じであってもよいし、異なっていてもよい。
【００７４】
［第１の実施形態の応用例２］
図１３及び図１４を参照しながら、第１の実施形態の応用例２について説明する。図１３は、本応用例の表示装置５６の概略構成の一例を示す機能ブロック図である。図１４は、本応用例の表示装置５６の一例を示す正面図である。
【００７５】
図１３及び図１４に示すように、本応用例では、検出部として、カメラ５８が採用されている。カメラ５８は、例えば、ＣＣＤカメラである。カメラ５８は、観察者５０を撮影する。図１４の例では、カメラ５８は、表示領域２６よりも上側であって、且つ、表示領域２６の水平方向の中心に設けられているが、カメラ５８の位置は、図１４に示す位置に限定されない。
【００７６】
本応用例においては、検出部としてカメラ５８が採用されている。そのため、遮蔽物４０の位置が把握し易い。
【００７７】
［第１の実施形態の応用例３］
図１５及び図１６を参照しながら、第１の実施形態の応用例３について説明する。図１５は、本応用例の表示装置８０の概略構成の一例を示す機能ブロック図である。図１６は、本応用例のパネル制御部２８の概略構成の一例を示す機能ブロック図である。
【００７８】
図１５及び図１６に示すように、本応用例では、制御部１６が計測部８２を備える。計測部８２は、検出部が遮蔽物４０（例えば、図６参照）を検出している時間を計測する。計測部８２は、第１計測部として機能する。
【００７９】
計測部８２は、４つの検出部１８ａ〜１８ｄから順次信号を受信する。計測部８２は、受信した信号が基準値以下であるか否かを判断する。計測部８２は、受信した信号が基準値以下であると判断した場合、当該基準値以下の信号を送ってきた検出部を特定する。計測部８２は、特定した検出部からの信号が基準値以下である時間を計測し始める。計測部８２は、特定した検出部からの信号が基準値以下である時間が所定時間（例えば、５秒）経過した場合に、特定した検出部と対応する検出領域の前方に、遮蔽物４０が位置すると判断する。計測部８２は、特定した検出部と対応する検出領域の前方に遮蔽物４０が位置することを示す信号を第１生成部４４に出力する。第１生成部４４は、受信した信号に基づいて、表示領域２６を正面から見たときに遮蔽物４０が重なる検出領域を特定する。第１生成部４４は、特定した検出領域を表示領域２６から除いた領域を、生成可能領域に設定する。第１生成部４４は、生成可能領域に表示可能な第１表示領域２６ａの表示面積を、第１表示領域２６ａの表示面積に設定する。このようにして、第１表示領域２６ａのサイズが設定される。また、第１生成部４４は、表示領域２６において第１表示領域２６ａが生成される位置を設定する。そして、第１生成部４４は、設定した第１表示領域２６ａの位置及びサイズに基づいて、第１表示領域２６ａを表示領域２６に生成する。表示制御部４８は、第１生成部４６が生成した第１表示領域２６ａに画像を表示する。
【００８０】
本応用例では、特定した検出部からの信号が基準値以下である時間が所定時間を経過しなければ、特定した検出部と対応する検出領域の前方に遮蔽物４０が位置すると判断されない。そのため、例えば、表示領域２６の前方を通り過ぎる人間は、遮蔽物と判断されない。その結果、表示領域２６の前方を人が通り過ぎる度に第１表示領域２６ａが生成されるのを防ぐことができる。
【００８１】
［第１の実施形態の応用例４］
図１７及び図１８を参照しながら、第１の実施形態の応用例４について説明する。図１７は、本応用例の表示装置８４の概略構成の一例を示す機能ブロック図である。図１８は、本応用例のパネル制御部２８の概略構成の一例を示す機能ブロック図である。
【００８２】
図１７及び図１８に示すように、本応用例では、制御部１６が計測部８６を備える。計測部８６は、検出部が遮蔽物４０（例えば、図６参照）を検出している時間を計測する。計測部８６は、第２計測部として機能する。
【００８３】
第１生成部４４は、４つの検出部１８ａ〜１８ｄから順次信号を受信する。第１生成部４４は、受信した信号が基準値以下であるか否かを判断する。第１生成部４４は、受信した信号が基準値以下であると判断した場合、当該基準値以下の信号を送ってきた検出部を特定する。第１生成部４４は、特定した検出部と対応する検出領域の前方に、遮蔽物４０が位置すると判断する。第１生成部４４は、表示領域２６を正面から見たときに遮蔽物４０が重なる検出領域を特定する。第１生成部４４は、特定した検出領域５２を表示領域２６から除いた領域を、生成可能領域に設定する。第１生成部４４は、生成可能領域に表示可能な第１表示領域２６ａの表示面積を、第１表示領域２６ａの表示面積に設定する。このようにして、第１表示領域２６ａのサイズが設定される。また、第１生成部４４は、表示領域２６において第１表示領域２６ａが生成される位置を設定する。そして、第１生成部４４は、設定した第１表示領域２６ａの位置及びサイズに基づいて、第１表示領域２６ａを表示領域２６に生成する。表示制御部４８は、第１生成部４６が生成した第１表示領域２６ａに画像を表示する。
【００８４】
第１生成部４４は、第１表示領域２６ａを表示領域２６ａに生成したら、特定した検出部を示す信号を計測部８６に送信する。計測部８６は、第１生成部４４が特定した検出部からの信号を受信する。このとき、計測部８６は、第１生成部４４が特定していない検出部からの信号を受信してもよい。計測部８６は、第１生成部４４が特定した検出部からの信号が基準値以下である時間を計測し始める。計測部８６は、第１生成部４４が特定した検出部からの信号が基準値以下である時間が所定時間（例えば、１分）を経過した場合、そのことを示す信号を第１生成部４４に送信する。第１生成部４４は、計測部８６からの信号を受信したら、現在生成されている第１表示領域２６ａを維持する。
【００８５】
第１生成部４４は、特定した検出部からの信号が基準値より大きくなると、第１表示領域２６ａの生成をやめる。なお、第１生成部４４は、特定した検出部からの信号が基準値より大きくなった時間が所定時間（例えば、１分）経過した場合に、第１表示領域２６ａの生成をやめてもよい。
【００８６】
本応用例では、例えば、表示領域２６の前方に人（遮蔽物４０）がいると、第１表示領域２６ａが生成される。この人（遮蔽物４０）が表示領域２６の前方に所定時間いると、第１表示領域２６ａは現在の位置及びサイズを維持する。そのため、例えば、図１９に示すように、第１表示領域２６ａの前方に他の人８８が立ったとしても、或いは、図２０に示すように、人（遮蔽物４０）が第１表示領域２６ａの前方に手等を差し出しても、第１表示領域２６ａの位置及びサイズが変更されない。その結果、第１表示領域２６ａが利用し易くなる。
【００８７】
［第２の実施形態］
図２１〜図２３を参照しながら、本発明の第２の実施形態について説明する。図２１は、本実施形態の表示装置６０の概略構成の一例を示す機能ブロック図である。図２２は、本実施形態で採用されるパネル制御部６２の概略構成の一例を示す機能ブロック図である。図２３は、表示装置６０の前方に遮蔽物４０が存在する場合の表示領域２６の一例を示す説明図である。
【００８８】
本実施形態の表示装置６０は、図２１及び図２２に示すように、第１の実施形態の表示装置１０に比して、タッチパネル６４を備える。タッチパネル６４は、表示パネル１２の観察者５０側に配置される。タッチパネル６４は、例えば、静電容量式のタッチパネルである。
【００８９】
本実施形態のパネル制御部６２は、図２２に示すように、第１の実施形態のパネル制御部２８に比して、第２生成部６６を備える。
【００９０】
第２生成部６６は、残りの領域２６ｂに表示される第２表示領域２６ｃ（図２３参照）の位置及びサイズを設定する。第２表示領域２６ｃは、残りの領域よりも小さい表示面積を有する。第２表示領域２６ｃは、第１表示領域２６ａと相似形であることが好ましい。換言すれば、第２表示領域２６ｃの縦横比は、第１表示領域２６ａの縦横比と同じであることが好ましい。これにより、残りの領域２６ｂの前方に位置する人間（遮蔽物４０）が、第２表示領域２６ｃに表示される画像を見たときに、違和感を感じ難くなる。第２表示領域２６ｃには、残りの領域２６ｂの前方に位置する人間（遮蔽物４０）が見るための画像が表示される。第２表示領域２６ｃの観察者は、第１表示領域２６ａの観察者５０にとって、遮蔽物４０となる。
【００９１】
第１表示領域２６ａに画像が表示されているときに、残りの領域２６ｂの前方に位置する人間（遮蔽物４０）が、タッチパネル６４において残りの領域２６ｂと対応する区域を触る。この場合、タッチパネル６４からの信号が、第２生成部６６に入力される。タッチパネル６４からの信号が入力されると、第２生成部６６は、残りの領域２６ｂの形状及び大きさに応じて、第２表示領域２６ｃの位置及びサイズを設定する。
【００９２】
第２表示領域２６ｃのサイズは、予め定められた複数種類のサイズから適当なサイズを選択してもよいし、残りの領域２６ｂの形状及び大きさに対応したサイズを適宜設定してもよい。第２表示領域２６ｃの生成位置は、予め定められた複数の位置から適当な位置を選択しても良いし、例えば、タッチパネル６４において残りの領域２６ｂと対応する区域であって、且つ、残りの領域２６ｂの前方に位置する人間（遮蔽物４０）が触った位置を含むようにしてもよい。
【００９３】
第２表示領域２６ｃの位置及びサイズの少なくとも一方は、変更可能であってもよい。第２表示領域２６ｃの位置を変更する方法としては、例えば、残りの領域２６ｂの前方に位置する人間（遮蔽物４０）が、タッチパネル６４において第２表示領域２６ｃと対応する区域を指で触り、その状態を維持しながら、指を移動させる方法等を採用することができる。第２表示領域２６ｃのサイズを変更する方法としては、例えば、残りの領域２６ｂの前方に位置する人間（遮蔽物４０）が、タッチパネル６４において第２表示領域２６ｃと対応する区域を２本の指で触り、その状態を維持しながら、これら２本の指の間隔を変更する方法等を採用することができる。
【００９４】
第２生成部６６は、設定した第２表示領域２６ｃの位置及びサイズに基づいて、第２表示領域２６ｃを残りの領域２６ｂに生成する。表示制御部４８（図２２参照）は、第２生成部６８が生成した第２表示領域２６ｃに画像を表示する。
【００９５】
上述の説明から明らかなように、本実施形態では、タッチパネル６４が入力部として機能する。
【００９６】
本実施形態では、第２表示領域２６ｃに画像が表示される。そのため、観察者５０だけでなく、残りの領域２６ｂの前方に位置する人間（遮蔽物４０）も、表示領域２６に表示される画像の全体を見ることができる。
【００９７】
本実施形態では、残りの領域２６ｂの前方に位置する人間（遮蔽物４０）が、タッチパネル６４において残りの領域２６ｂと対応する区域を触った場合に、第２表示領域２６ｃが残りの領域２６ｂに表示される。その結果、残りの領域２６ｂに第２表示領域２６ｃが常に表示される場合に比して、表示装置１０の消費電力が抑えられる。
【００９８】
［第２の実施形態の応用例１］
図２４及び図２５を参照しながら、第２の実施形態の応用例１について説明する。図２４は、本応用例で採用されるパネル制御部６２の一例を示す機能ブロック図である。図２５は、残りの領域２６ｂに表示される選択肢７０の一例を示す図である。
【００９９】
本応用例では、タッチパネル６４からの信号が入力された場合、第２生成部６６は、選択可能な第２表示領域２６ｃのサイズを示す選択肢７０（図２５参照）を表示制御部４８に表示させる。
【０１００】
残りの領域２６ｂの前方に位置する人間（遮蔽物４０）は、残りの領域２６ｂに表示された選択肢７０から適当な選択肢７０を選択する。この選択操作は、例えば、タッチパネル６４において選択肢７０と対応する区域を触ることで実現される。
【０１０１】
上述の説明から明らかなように、本実施形態では、タッチパネル６４が入力部として機能する。選択肢７０を表示する残りの領域２６ｂが、報知部として機能する。
【０１０２】
本実施形態では、選択可能な第２表示領域２６ｃのサイズが、残りの領域２６ｂの前方に位置する人間（遮蔽物４０）に報知される。残りの領域２６ｂの前方に位置する人間（遮蔽物４０）は、第２表示領域２６ｃのサイズを選択することができる。
【０１０３】
残りの領域２６ｂに選択肢７０を表示することに代えて、或いは、残りの領域２６ｂに選択肢７０を表示することに加えて、選択可能な第２表示領域２６ｃのサイズを音声で報知してもよい。この音声は、表示装置が備えるスピーカから出力される。
【０１０４】
［第２の実施形態の応用例２］
図２６及び図２７を参照しながら、第２の実施形態の応用例２について説明する。図２６は、本応用例で採用されるパネル制御部６２の概略構成の一例を示す機能ブロック図である。図２７は、本応用例の表示装置７２の前方に遮蔽物４０が存在する場合の表示領域２６の一例を示す説明図である。
【０１０５】
本応用例では、図２６に示すように、タッチパネル６４からの信号が表示制御部４８に入力される。これにより、図２７に示すように、残りの領域２６ｂの前方に位置する人間（遮蔽物４０）が、タッチパネル６４において第２表示領域２６ｃと対応する区域に、例えば文字等の視覚情報７４を書き込むと、当該視覚情報７４が第２表示領域２６ｃに表示される。また、第２表示領域２６ｃに書き込まれた視覚情報７４は、第１表示領域２６ａに表示される。すなわち、表示制御部４８は、情報入力部として機能するタッチパネル６４から入力された視覚情報７４を、第１表示領域２６ａと第２表示領域２６ｃとに表示する。視覚情報７４は、第１表示領域２６ａと第２表示領域２６ｃとの面積比に対応して、その大きさが変更される。
【０１０６】
［第２の実施形態の応用例３］
図２８を参照しながら、第２の実施形態の応用例３について説明する。図２８は、本応用例の表示装置７４の前方に遮蔽物４０が存在する場合の表示領域２６の一例を示す説明図である。
【０１０７】
本応用例では、図２８に示すように、複数の第２表示領域２６ｃ，２６ｄが残りの領域２６ｂに生成される。この場合、例えば、第１表示領域２６ａと第２表示領域２６ｃとに同じ画像を表示する一方、第１表示領域２６ａと第２表示領域２６ｃとに表示する画像とは異なる画像を第２表示領域２６ｄに表示する。残り領域２６ｂの前方に位置する人間が、第２表示領域２６ｄの画像を見ながら、第２表示領域２６ｃに文字等を書き込む。第２表示領域２６ｃに書き込まれた文字等が、第１表示領域２６ａに表示される。このような使用方法が考えられる。
【０１０８】
［第３の実施形態］
図２９及び図３０を参照しながら、第３の実施形態について説明する。図２９は、本実施形態の表示装置９０の概略構成の一例を示す機能ブロック図である。図３０は、本実施形態のパネル制御部９２の概略構成の一例を示す機能ブロック図である。
【０１０９】
図２９及び図３０に示すように、本実施形態では、制御装置９０は、タッチパネル６４を備える。パネル制御部９２は、変更部９４を備える。
【０１１０】
例えば、図６に示すように、人（遮蔽物４０）が残りの領域２６ｂの前方に位置する場合を考える。人（遮蔽物４０）が残りの領域２６ｂに触れると、タッチパネル６４は変更部９４に信号を送信する。タッチパネル６４からの信号が入力された場合、変更部９４は、画像が表示される領域を縮小するか確認する表示９６（図３１参照）を表示制御部４８に表示させる。表示９６は、残りの領域２６ｂに表示される。表示９６は、例えば、残りの領域２６ｂにおいて、人（遮蔽物４０）が触った位置に表示される。図３１に示すように、表示９６は、選択肢９８を含む。
【０１１１】
人（遮蔽物４０）は、画像が表示される領域を縮小するか決める。この意思決定は、例えば、タッチパネル６４において選択肢９８と対応する区域を触ることで実現される。
【０１１２】
人（遮蔽物４０）が「はい」の選択肢９８を選択すると、タッチパネル６４から変更部９４に信号が入力される。変更部９４は、タッチパネル６４からの信号を受信したら、表示制御部４８に信号を送信する。この信号は、第１表示領域２６ａを生成するときに人（遮蔽物４０）を検出した検出部に対応する検出領域を、第１表示領域２６ａを生成可能な領域から除外することを示す。これにより、図３２に示すように、第１表示領域２６ａが生成され得る領域１００ａと、第１表示領域２６ａが生成されない領域１００ｂとが、表示領域２６に設定される。因みに、図３２に示す例では、領域１００ｂは検出領域５２ａに相当する。
【０１１３】
人（遮蔽物４０）が「はい」の選択肢９８を選択すると、タッチパネル６４から変更部９４に信号が入力される。変更部９４は、タッチパネル６４からの信号を受信したら、第１生成部４４に信号を送信する。この信号は、第１表示領域２６ａを生成するときに人（遮蔽物４０）を検出した検出部に対応する検出領域を、第１表示領域２６ａを生成可能な領域から除外することを示す。
【０１１４】
人（遮蔽物４０）が領域１００ｂの前方から離れると、第１表示領域２６ａが消失する。これにより、表示領域２６の全体に画像が表示される。その後、人（遮蔽物４０）が領域１００ｂの前方に存在しても、第１表示領域２６ａは生成されない。そのため、領域１００ｂの前方を自由に使うことができる。例えば、表示領域２６の全体に表示される画像の前に人が立てるようになる。その結果、第１表示領域２６ａに表示される画像よりも大きな画像を用いて、当該画像の内容を説明することができる。
【０１１５】
人（遮蔽物４０）が「いいえ」の選択肢９８を選択すると、タッチパネル６４から変更部９４に信号が入力される。変更部９４は、タッチパネル６４からの信号を受信したら、表示制御部４８と第１生成部４４とに信号を送信する。この信号は、第１表示領域２６ａを生成するときに人（遮蔽物４０）を検出した検出部に対応する検出領域を、第１表示領域２６ａを生成可能な領域から除外しないことを示す。この場合、領域１００ａと領域１００ｂが表示領域２６に設定されない。
【０１１６】
領域１００ａと領域１００ｂが表示領域２６に設定された状態で、他の人（遮蔽物１０２）が領域１００ａの前方に存在する場合を考える。この場合、例えば、図３３に示すように、領域１００ａ内で他の人（遮蔽物１０２）を避ける位置に、第１表示領域２６ａが生成される。図３３に示す例では、検出部１８ｄだけが他の人（遮蔽物１０２）を検出している。図３３に示す例では、領域１００ａにおいて検出領域５２ｄ（図１１参照）を除いた領域（検出領域５２ｂ，５２ｃに相当する領域）に、第１表示領域２６ａが生成されている。このとき、例えば、領域１００ｂに紙を張り付けてもよい。この紙は、第１表示領域２６ａの妨げにならない。
【０１１７】
領域１００ａと領域１００ｂの設定を解除する方法としては、例えば、次のような方法が考えられる。先ず、領域１００ｂを指等で触ると、タッチパネル６４から変更部９４に信号が入力される。変更部９４は、タッチパネル６４からの信号を受信したら、第１生成部４４と表示制御部４８とに信号を送信する。この信号は、表示領域２６における領域１００ａ，１００ｂの設定を解除することを示す。これにより、表示領域２６における領域１００ａ，１００ｂの設定が解除される。
【０１１８】
なお、表示９６は残りの領域２６ｂに表示される必要はない。例えば、残り領域２６ｂが表示領域２６に生成される前に、表示９６が表示領域２６に表示されてもよい。
【０１１９】
また、領域１００ｂの大きさを人が設定できるようにしてもよい。領域１００ｂの大きさを設定する方法としては、例えば、予め設定された幾つかのサイズから選択する方法等がある。
【０１２０】
また、領域１００ｂが形成される位置を人が設定できるようにしてもよい。領域１００ｂの形成位置を設定する方法としては、例えば、人が指等で触れた位置を領域１００ｂの中心とする方法等がある。
【０１２１】
以上、本発明の実施形態について、詳述してきたが、これらはあくまでも例示であって、本発明は、上述の実施形態によって、何等、限定されない。
【０１２２】
例えば、第１〜第３の実施形態では、第１表示領域２６ａのサイズが予め定められていたが、第１表示領域２６ａのサイズは予め定められている必要はない。
【０１２３】
第１〜第３の実施形態において、複数の画像を同時に表示するマルチ画面機能を表示装置が有していてもよい。
【０１２４】
第１〜第３の実施形態において、表示装置の解像度は高いほうが望ましい。例えば、Full-HDの４倍の解像度を有する表示装置の場合、第１表示領域のサイズが表示領域の１／４の大きさになっても、第１表示領域の解像度をFull-HDの解像度と同等にすることができる。
【０１２５】
第１〜第３の実施形態において、表示パネルが光センサを有していてもよい。光センサは、例えば、フォトダイオードを含む。光センサは検出部として機能する。この場合、例えば、表示領域に紙等を張り付けると、紙等を張り付けた領域を除いて、第１表示領域が生成され得る領域を設定できる。
【符号の説明】
【０１２６】
１０：表示装置，１２：表示パネル，１４：バックライト，１８：検出部，２６：表示領域，２６ａ：第１表示領域，２６ｂ：残りの領域，２６ｃ：第２表示領域，２８：パネル制御部，４０：遮蔽物，４４：第１生成部，４８：表示制御部，５０：観察者，６４：タッチパネル，６６：第２生成部，７４：視覚情報
【図１】
2014167496.tif 000003
【図２】
2014167496.tif 000004
【図３】
2014167496.tif 000005
【図４】
2014167496.tif 000006
【図５】
2014167496.tif 000007
【図６】
2014167496.tif 000008
【図７】
2014167496.tif 000009
【図８】
2014167496.tif 000010
【図９】
2014167496.tif 000011
【図１０】
2014167496.tif 000012
【図１１】
2014167496.tif 000013
【図１２】
2014167496.tif 000014
【図１３】
2014167496.tif 000015
【図１４】
2014167496.tif 000016
【図１５】
2014167496.tif 000017
【図１６】
2014167496.tif 000018
【図１７】
2014167496.tif 000019
【図１８】
2014167496.tif 000020
【図１９】
2014167496.tif 000021
【図２０】
2014167496.tif 000022
【図２１】
2014167496.tif 000023
【図２２】
2014167496.tif 000024
【図２３】
2014167496.tif 000025
【図２４】
2014167496.tif 000026
【図２５】
2014167496.tif 000027
【図２６】
2014167496.tif 000028
【図２７】
2014167496.tif 000029
【図２８】
2014167496.tif 000030
【図２９】
2014167496.tif 000031
【図３０】
2014167496.tif 000032
【図３１】
2014167496.tif 000033
【図３２】
2014167496.tif 000034
【図３３】
2014167496.tif 000035